(57)【特許請求の範囲】
【請求項１】
中空のプレキャスト柱部材同士を軸線方向に接合してなる中空プレキャスト柱において、
梁を接合させるための柱梁接合部材が上下のプレキャスト柱部材の間に介在されているとともに、プレキャスト柱部材の中空部の中にＰＣ鋼材が挿通され、
該ＰＣ鋼材により柱梁接合部材を介してプレキャスト柱部材にプレストレスが付与されることで、柱梁接合部材の上面に上側のプレキャスト柱部材の下端面が圧着されるとともに、柱梁接合部材の下面に下側のプレキャスト柱部材の上端面が圧着されており、
上下のプレキャスト柱部材の中にそれぞれ挿通された上下のＰＣ鋼材は、互いの軸の延長線と異なる軸上にそれぞれ配設されており、
下側のＰＣ鋼材の上端は、柱梁接合部材に定着され、
上側のＰＣ鋼材の下端は、柱梁接合部材に定着された接続用ＰＣ鋼材の上端に接続されていることを特徴とする中空プレキャスト柱。
【発明の詳細な説明】
【技術分野】
【０００１】
本発明は、複数の中空のプレキャスト柱部材からなる中空プレキャスト柱に関する。
【背景技術】
【０００２】
従来より、複数のプレキャスト柱部材同士や、プレキャスト柱部材と基礎部材、プレキャスト柱部材とプレキャスト梁部材等をＰＣ鋼材によるプレストレスによって接合する技術が提供されている。この従来の技術では、プレキャスト柱部材等のプレキャスト部材の製作工程において、予め、プレキャスト部材の中にシース管を埋設させておく。そして、プレキャスト部材の組み立て際、シース管の中にＰＣ鋼材を挿入し、このＰＣ鋼材によってプレキャスト部材にプレストレスを付与し、プレキャスト部材の接合面同士を圧着させている（例えば、特許文献１参照。）。
【０００３】
また、従来より、ＰＣ鋼材によるプレストレスによって中空のプレキャスト柱部材同士を接合させる技術が提供されている。この従来の技術では、中空プレキャスト柱部材の中空部の中にＰＣ鋼材を挿通させ、このＰＣ鋼材によって中空プレキャスト柱部材にプレストレスを付与し、上下の中空プレキャスト柱部材の接合端面同士を圧着させている（例えば、特許文献２参照。）。
【特許文献１】特開２００１−９０１６８号公報
【特許文献２】特開平６−１７３３９０号公報
【発明の開示】
【発明が解決しようとする課題】
【０００４】
しかしながら、上記した前者の従来技術では、プレキャスト部材の製作時に、シース管を埋設させる作業が煩雑であり、プレキャスト部材の製作に手間がかかるという問題がある。また、前者の従来技術では、プレキャスト部材の重量が重く、施工上および構造上不利になるという問題がある。
また、上記した後者の従来技術では、中空プレキャスト柱の側面に梁構造体を接合して架構を形成しているが、実際にはプレキャスト柱部材の側面に梁構造体の端面を直接接合させることが難しく、梁との接合についてシステム化が求められている。
【０００５】
本発明は、上記した従来の問題が考慮されたものであり、プレキャスト柱部材の製作手間を軽減させ、且つ、プレキャスト柱部材の軽量化を図ることができ、さらに、梁との接合についてシステム化して容易に架構を構築することができる中空プレキャスト柱を提供することを目的としている。
【課題を解決するための手段】
【０００６】
請求項１記載の発明は、中空のプレキャスト柱部材同士を軸線方向に接合してなる中空プレキャスト柱において、梁を接合させるための柱梁接合部材が上下のプレキャスト柱部材の間に介在されているとともに、プレキャスト柱部材の中空部の中にＰＣ鋼材が挿通され、該ＰＣ鋼材により柱梁接合部材を介してプレキャスト柱部材にプレストレスが付与されることで、柱梁接合部材の上面に上側のプレキャスト柱部材の下端面が圧着されるとともに、柱梁接合部材の下面に下側のプレキャスト柱部材の上端面が圧着されており、上下のプレキャスト柱部材の中にそれぞれ挿通された上下のＰＣ鋼材は、互いの軸の延長線と異なる軸上にそれぞれ配設されており、下側のＰＣ鋼材の上端は、柱梁接合部材に定着され、上側のＰＣ鋼材の下端は、柱梁接合部材に定着された接続用ＰＣ鋼材の上端に接続されていることを特徴としている。
【０００７】
上記した発明では、プレキャスト柱部材は中空であり、ＰＣ鋼材がプレキャスト柱部材の中空部の中に配置されるため、プレキャスト柱部材にシース管を埋設させる必要はない。また、プレキャスト柱部材は、中空の分だけ軽量化される。また、ＰＣ鋼材によるプレストレスによって、柱梁接合部材の下側にあるプレキャスト柱部材の上端面が柱梁接合部材の下面に圧着され、柱梁接合部材の上側にあるプレキャスト柱部材の下端面が柱梁接合部材の上面に圧着されるため、上下のプレキャスト柱部材同士が柱梁接合部材を介して接合される。つまり、プレキャスト柱部材の上下に配置された柱梁接合部材が、ＰＣ鋼材によってプレキャスト柱部材を上下端から挟み込み、プレキャスト柱部材と柱梁接合部材とが一体化された状態になっている。
【００１１】
また、上記した発明では、上下のＰＣ鋼材の軸合わせを行う必要がなく、また、各層のプレキャスト柱部材ごとにＰＣ鋼材の本数や位置を自由に設定することが可能である。
【発明の効果】
【００１２】
本発明に係る中空プレキャスト柱によれば、ＰＣ鋼材がプレキャスト柱部材の中空部の中に配置されるため、プレキャスト柱部材の中にシース管を埋設させる必要がなく、プレキャスト柱部材の製作手間を軽減することができる。また、中空のプレキャスト柱部材を用いることでプレキャスト柱部材の軽量化を図ることができる。さらに、柱梁接合部材がプレキャスト柱部材と一体化され、上下のプレキャスト柱部材同士が柱梁接合部材を介して接合されるため、梁構造体は柱梁接合部材に適宜接合させればよく、梁との接合についてシステム化が実現し、容易に架構を構築することができる。
【発明を実施するための最良の形態】
【００１３】
以下、本発明に係る中空プレキャスト柱の参考例及び実施の形態について、図面に基いて説明する。
【００１４】
［参考例］
まず、本発明に係る中空プレキャスト柱の参考例について、図１，図２に基いて説明する。
【００１５】
図１は参考例に係る中空プレキャスト柱の立断面図であり、図２は図１に示すＡ−Ａ間の平断面図である。図１，図２に示すように、本発明に係る中空プレキャスト柱は、複数のプレキャスト柱部材１，２同士を軸線方向に接合させた構成からなる柱構造体である。詳しくは、上下のプレキャスト柱部材１，２の間に、梁２０…を接合させるための柱梁接合部材３が介在されており、この柱梁接合部材３を介して上下のプレキャスト柱部材１，２同士が接合されている。
【００１６】
プレキャスト柱部材１，２は、例えば遠心成形法により中空に成形されたプレストレスト鉄筋コンクリート造の円筒状のプレキャスト部材であり、建物一層分の柱を形成する柱部材である。プレキャスト柱部材１，２の中空部１ａ，２ａは、断面円形の貫通孔であり、プレキャスト柱部材１，２の上下端でそれぞれ開放されている。
【００１７】
柱梁接合部材３は、鉄筋コンクリート造或いは鋼板製のブロック状の部材であり、六面体の上下面３ａ，３ｂに凸部３ｃ，３ｄがそれぞれ形成された形状になっている。柱梁接合部材３は、下側のプレキャスト柱部材１の上端面１ｃ上に載せられており、その上面３ａには、上側のプレキャスト柱部材２が建てられている。柱梁接合部材３の下面３ｂに形成された凸部３ｃは、台形円錐状の凸部であり、下側のプレキャスト柱部材１の中空部１ａ上端に嵌め込まれる。また、柱梁接合部材３の上面３ａに形成された凸部３ｄは、台形円錐状の凸部であり、上側のプレキャスト柱部材２の中空部２ａ下端に嵌め込まれる。また、柱梁接合部材３には、後述する下側のＰＣ鋼材４…の上端を挿通させるための図示せぬシース管が複数埋設されている。これらのシース管は、鉛直方向（柱軸方向）に延在されており、上下端が柱梁接合部材３の上下面３ａ，３ｂに開放されている。
【００１８】
最下階（下側）のプレキャスト柱部材１は、例えばフーチングや基礎梁、底版等の基礎構造体６の上に立設されている。基礎構造体６は、鉄筋コンクリート造の構造体であり、プレキャスト柱部材１が立設される位置には、プレキャスト柱部材１の中空部１ａに嵌め込まれる台形円錐状の凸部６ａが形成されている。
【００１９】
また、上下のプレキャスト柱部材１，２の中空部１ａ，２ａの中には、鉛直方向に延在するＰＣ鋼材４…，５…がそれぞれ挿通されており、これらのＰＣ鋼材４…，５…により柱梁接合部材３を介してプレキャスト柱部材１，２にプレストレスが付与される。これによって、柱梁接合部材３の上面３ａに上側のプレキャスト柱部材２の下端面２ｂが圧着されるとともに、柱梁接合部材３の下面３ｂに下側のプレキャスト柱部材１の上端面１ｃが圧着されている。つまり、ＰＣ鋼材４…，５…により、プレキャスト柱部材２の下端面２ｂを柱梁接合部材３に押し付けるとともに、柱梁接合部材３をプレキャスト柱部材１の上端面１ｃに押し付けることで、プレキャスト柱部材１，２と柱梁接合部材３とを一体化させた構成になっている。
【００２０】
プレキャスト柱部材１，２の中に挿通されるＰＣ鋼材４…，５…は、プレキャスト柱部材１，２に鉛直方向（軸方向）のプレストレス（圧縮応力）を付与するための緊張材であり、例えば、高張力鋼からなる鋼棒、鋼線、鋼より線、或いは鋼線や鋼より線を束ねたケーブル等である。また、ＰＣ鋼材４…，５…は、少なくとも両端部の外周面に雄ネジが切られた部材であり、例えば、全長に亘って雄ネジが切られた長尺ボルト状の部材であってもよく、両端部のみに雄ネジが切られてその他の部分にはネジが切られていない構成の部材であってもよい。
【００２１】
柱梁接合部材３の下側にあるプレキャスト柱部材１の中に挿通された下側のＰＣ鋼材４…と、柱梁接合部材３の上側にあるプレキャスト柱部材２の中に挿通された上側のＰＣ鋼材５…とは、互いの軸の延長線Ｘ１，Ｘ２上にそれぞれ配設されている。つまり、下側のＰＣ鋼材４…は上側のＰＣ鋼材５…の軸線延長線Ｘ２上に配設されており、上側のＰＣ鋼材５…は下側のＰＣ鋼材４…の軸線延長線Ｘ１上に配設されている。
【００２２】
下側のＰＣ鋼材４…の上端は、柱梁接合部材３内に埋設された図示せぬシース管にそれぞれ挿通され、柱梁接合部材３に貫設された状態になっており、柱梁接合部材３の凸部３ｄの上面３ａから上方に突出されている。そして、柱梁接合部材３の凸部３ｄの上面３ａから突出した複数の下側のＰＣ鋼材４…の上端には定着構造９…がそれぞれ設けられ、この定着構造９…によって下側のＰＣ鋼材４…の上端が柱梁接合部材３に定着されている。
【００２３】
定着構造９としては、例えば、下側のＰＣ鋼材４の上端に螺合される定着ナット１０と、柱梁接合部材３の上面３ａに接面する定着プレート１１とから構成されたものがある。この定着プレート１１には、下側のＰＣ鋼材４の上端を挿通させるための図示せぬ孔が形成されており、この図示せぬ孔に下側のＰＣ鋼材４の上端が挿通されて、ＰＣ鋼材４の上端に定着プレート１１が取り付けられる。そして、定着プレート１１を貫通したＰＣ鋼材４の上端に定着ナット１０が螺合され、この定着ナット１０が締め付けられることで、下側のＰＣ鋼材４…の上端が柱梁接合部材３に定着される。
【００２４】
最下階のＰＣ鋼材４…の下端は、基礎構造体６に設けられた接続用ＰＣ鋼材７…の上端に接続されている。接続用ＰＣ鋼材７…は、プレキャスト柱部材１，２の中に挿通されたＰＣ鋼材４…，５…と同様の鋼材からなる部材であり、最下階のプレキャスト柱部材１の中空部１ａ内に配設されたＰＣ鋼材４…の軸線延長線Ｘ１上に配設されている。接続用ＰＣ鋼材７の上端は、基礎構造体６の凸部６ａの上面６ｂから突出されており、カプラー８…を介してＰＣ鋼材４…の下端に接続（継手）されている。具体的には、内周面に雌ネジが切られた円筒状のカプラー８が用いられ、接続用ＰＣ鋼材７の上端をカプラー８の下端に螺合させるとともにＰＣ鋼材４の下端をカプラー８の上端に螺合させることで、接続用ＰＣ鋼材７の上端とＰＣ鋼材４の下端とは接続されている。
【００２５】
なお、複数の接続用ＰＣ鋼材７…の下端は、基礎構造体６内に埋設された定着板１２にナット１３…でそれぞれ固定されており、この定着板１２によって接続用ＰＣ鋼材７…が基礎構造体６に定着された状態になっている。
【００２６】
一方、上側のＰＣ鋼材５…の下端は、柱梁接合部材３の上面３ａから突出した下側のＰＣ鋼材４…の上端に接続されている。具体的には、上側のＰＣ鋼材５…の下端は、定着ナット９から突出した下側のＰＣ鋼材４…の上端部分に、カプラー１４…を介して接続（継手）されている。このカプラー１４…は、上記したカプラー８と同様の構成からなり、下側のＰＣ鋼材４の上端をカプラー１４の下端に螺合させるとともに上側のＰＣ鋼材５の下端をカプラー１４の上端に螺合させることで、下側のＰＣ鋼材４の上端と上側のＰＣ鋼材５の下端とは接続されている。
【００２７】
上側のＰＣ鋼材５…の上端は、上側のプレキャスト柱部材２の上端に載せられた図示せぬ上側の柱梁接合部材に定着されている。詳しい構成については、上述した下側のＰＣ鋼材４…の上端の構成と同様であるため、その説明を省略する。
【００２８】
次に、上記した構成からなる参考例における中空プレキャスト柱の施工方法について説明する。
【００２９】
まず、予め工場等で、プレキャスト柱部材１，２を製作するとともに、柱梁接合部材３を製作する。このとき、柱梁接合部材３のコンクリート打設前に、複数のＰＣ鋼材４…をそれぞれ挿通させるための図示せぬシース管を設置し、柱梁接合部材３内にシース管を埋設させておく。
【００３０】
一方、中空プレキャスト柱を構築する現場では、基礎構造体６を形成する工程を行う。このとき、基礎構造体６のコンクリート打設前に、定着板１２を所定位置に配置するとともに、この定着板１２に複数の接続用ＰＣ鋼材７…をナット１３…でそれぞれ固定し、複数の接続用ＰＣ鋼材７…を基礎構造体６に定着させておく。
【００３１】
次に、基礎構造体６の凸部６ａの上面６ｂから突出した複数の接続用ＰＣ鋼材７…の上端に、カプラー８…を介してＰＣ鋼材４…をそれぞれ接続させる工程を行う。具体的には、複数の接続用ＰＣ鋼材７…の上端にカプラー８…をそれぞれ螺合させ、さらに、これらのカプラー８…にＰＣ鋼材４…の下端をそれぞれ螺合させる。
【００３２】
次に、基礎構造体６の上に、最下階（下側）のプレキャスト柱部材１を建込む工程を行う。具体的には、プレキャスト柱部材１の中空部１ａ下端に基礎構造体６の凸部６ａを嵌め込ませてプレキャスト柱部材１を基礎構造体６の上面６ｂ上に建てて、プレキャスト柱部材１の下端面１ｂを基礎構造体６の上面６ｂに接面させる。このとき、接続用ＰＣ鋼材７…の上端に接続された複数のＰＣ鋼材４…を、プレキャスト柱部材１の中空部１ａの中に挿通させる。
【００３３】
次に、建込まれたプレキャスト柱部材１の上端に柱梁接合部材３を設置する工程を行う。具体的には、プレキャスト柱部材１の中空部１ａ上端に柱梁接合部材３の凸部３ｃを嵌め込ませて、柱梁接合部材３をプレキャスト柱部材１の上端面１ｃ上に載せ、柱梁接合部材３の下面３ｂをプレキャスト柱部材１の上端面１ｃに接面させる。このとき、柱梁接合部材３内に埋設された図示せぬシース管の中に、プレキャスト柱部材１の中空部１ａ上端から突出するＰＣ鋼材４…の上端部を挿通させる。
【００３４】
次に、プレキャスト柱部材１の中空部１ａ内に挿通されたＰＣ鋼材４…の上端を、定着構造９…によって柱梁接合部材３に定着させる工程を行う。具体的には、柱梁接合部材３の凸部３ｄの上面３ａから突出したＰＣ鋼材４…の上端に、定着プレート１１…をそれぞれ挿嵌させるとともに定着ナット１０…をそれぞれ螺合させる。そして、定着プレート１１…の上からに各定着ナット１０…をそれぞれ締め込み、複数のＰＣ鋼材４…に緊張力をそれぞれ導入する。このとき、柱梁接合部材３を介してプレキャスト柱部材１に付与されるプレストレスが所定の大きさになるところまで、定着ナット１０…の締め込みを行う。
【００３５】
次に、柱梁接合部材３の上面３ａ（定着ナット１０…）から突出した複数のＰＣ鋼材４…の上端に、カプラー１４…を介してＰＣ鋼材５…をそれぞれ接続させる工程を行う。具体的には、複数のＰＣ鋼材４…の上端にカプラー１４…をそれぞれ螺合させ、さらに、これらのカプラー１４…にＰＣ鋼材５…の下端をそれぞれ螺合させる。
【００３６】
次に、柱梁接合部材３の上に、上側のプレキャスト柱部材２を建込む工程を行う。具体的には、プレキャスト柱部材２の中空部２ａ下端に柱梁接合部材３の凸部３ｄを嵌め込ませてプレキャスト柱部材２を柱梁接合部材３の上面３ａ上に建てて、プレキャスト柱部材２の下端面２ｂを柱梁接合部材３の上面３ａに接面させる。このとき、柱梁接合部材３の上方に鉛直方向に延在する複数のＰＣ鋼材５…を、プレキャスト柱部材２の中空部２ａの中に挿通させる。
【００３７】
この後は、上記した工程と同様にして、立設されたプレキャスト柱部材２の上端に図示せぬ上側の柱梁接合部材を設置した後、ＰＣ鋼材５…の上端を図示せぬ上側の柱梁接合部材に定着させる。そして、ＰＣ鋼材５…の上端に図示せぬ上層のＰＣ鋼材を接続した後、図示せぬ上側の柱梁接合部材の上に、図示せぬ上層のプレキャスト柱部材を立設する。この一連の工程を繰り返すことで中空プレキャスト柱を構築する。勿論、前記した一連の工程の途中で、梁２０や図示せぬスラブ、壁等の他の構造体を形成する工程を適宜行う。
【００３８】
上記した構成からなる中空プレキャスト柱によれば、プレキャスト柱部材１，２は中空であり、ＰＣ鋼材４…，５…がプレキャスト柱部材１，２の中空部１ａ，２ａの中に配置されるため、プレキャスト柱部材１，２にシース管を埋設させる必要はない。したがって、プレキャスト柱部材１，２の製作手間を軽減することができる。
【００３９】
また、上記した構成からなる中空プレキャスト柱によれば、プレキャスト柱部材１，２は中空であるため、プレキャスト柱部材１，２は、中空の分だけ軽量化される。したがって、中空プレキャスト柱は、施工上および構造上有利となる。
【００４０】
また、上記した構成からなる中空プレキャスト柱によれば、ＰＣ鋼材４…，５…によって、柱梁接合部材３の下側にあるプレキャスト柱部材１の上端面１ｃは、柱梁接合部材３の下面３ｂに圧着され、柱梁接合部材３の上側にあるプレキャスト柱部材２の下端面２ｂは、柱梁接合部材３の上面３ａに圧着されるため、上下のプレキャスト柱部材１，２同士が柱梁接合部材３を介して接合されて一体化された状態になっている。したがって、梁２０は柱梁接合部材３に適宜接合させればよく、梁２０との接合についてシステム化が実現されている。これによって、柱梁架構を容易に構築することができる。
【００４１】
また、上記した構成からなる中空プレキャスト柱によれば、上下のプレキャスト柱部材１，２の中にそれぞれ挿通された上下のＰＣ鋼材４…，５…が、互いの軸の延長線Ｘ１，Ｘ２上にそれぞれ配設されており、下側のＰＣ鋼材４…の上端が、柱梁接合部材３を貫通して柱梁接合部材３の上面３ａから突出されているとともに柱梁接合部材３に定着され、上側のＰＣ鋼材５…の下端が、柱梁接合部材３の上面３ａから突出した下側のＰＣ鋼材４…の上端に接続されている構成になっているため、ＰＣ鋼材５…の下端に単独の定着構造を形成する必要がない。したがって、柱梁接合部材３の構成を簡素化することができる。
【００４２】
［本発明の実施の形態］
次いで、本発明に係る中空プレキャスト柱の実施の形態について、図３，図４に基いて説明する。なお、上述した参考例と同様の構成については、同一の符号を付すことでその説明を省略する。
【００４３】
図３は本実施の形態に係る中空プレキャスト柱の立断面図であり、図４は図３に示すＢ−Ｂ間の平断面図である。図３，図４に示すように、柱梁接合部材３の下側にあるプレキャスト柱部材１の中に挿通された下側のＰＣ鋼材４´…と、柱梁接合部材３の上側にあるプレキャスト柱部材２の中に挿通された上側のＰＣ鋼材５´…とは、互いの軸の延長線Ｘ１，Ｘ２と異なる軸上にそれぞれ配設されている。つまり、下側のＰＣ鋼材４´…は上側のＰＣ鋼材５´…の軸線延長線Ｘ２からずれた位置に配設されており、上側のＰＣ鋼材５´…は下側のＰＣ鋼材４´…の軸線延長線Ｘ１からずれた位置に配設されている。
【００４４】
下側のＰＣ鋼材４´…の上端は、上述した参考例と同様に、柱梁接合部材３に貫設されており、定着構造９によって柱梁接合部材３に定着されている。また、最下階のＰＣ鋼材４´…の下端も、上述した参考例と同様に、基礎構造体６に設けられた接続用ＰＣ鋼材７…の上端に接続されている。
【００４５】
一方、上側のＰＣ鋼材５´…の下端は、柱梁接合部材３に設けられた接続用ＰＣ鋼材１７…の上端に接続されている。接続用ＰＣ鋼材１７…は、プレキャスト柱部材１，２の中に挿通されたＰＣ鋼材４´…，５´…と同様の鋼材からなる部材であり、上側のプレキャスト柱部材２の中空部２ａ内に配設されたＰＣ鋼材５´…の軸線延長線Ｘ２上に配設されている。接続用ＰＣ鋼材１７の上端は、柱梁接合部材３の凸部３ｄの上面３ａから突出されており、カプラー１４´…を介してＰＣ鋼材５´…の下端に接続（継手）されている。具体的には、内周面に雌ネジが切られた円筒状のカプラー１４´が用いられ、接続用ＰＣ鋼材１７の上端をカプラー１４´の下端に螺合させるとともにＰＣ鋼材５´の下端をカプラー１４´の上端に螺合させることで、接続用ＰＣ鋼材１７の上端とＰＣ鋼材５´の下端とは接続されている。
【００４６】
なお、複数の接続用ＰＣ鋼材１７…の下端は、柱梁接合部材３内に埋設された定着板１８にナット１９…でそれぞれ固定されており、この定着板１８によって接続用ＰＣ鋼材１７…が柱梁接合部材３に定着された状態になっている。
【００４７】
次に、上記した構成からなる本実施の形態における中空プレキャスト柱の施工方法について説明する。なお、本実施の形態における中空プレキャスト柱の施工方法は、以下の点で、上述した参考例における中空プレキャスト柱の施工方法と異なる。
【００４８】
まず、第一に、予め工場等で柱梁接合部材３を製作するときに、柱梁接合部材３内にシース管を埋設するとともに、柱梁接合部材３に複数の接続用ＰＣ鋼材１７…を定着させておく。具体的には、柱梁接合部材３のコンクリート打設前に、複数のＰＣ鋼材４´…をそれぞれ挿通させるための図示せぬシース管を設置するとともに、定着板１８を所定位置に配置してこの定着板１８に複数の接続用ＰＣ鋼材１７…をナット１９…でそれぞれ固定する。
【００４９】
第二に、ＰＣ鋼材５…を柱梁接合部材３の上方に設置する際、下側のＰＣ鋼材４´…の上端ではなく、柱梁接合部材３の上面３ａ（定着ナット１０…）から突出した接続用ＰＣ鋼材１７…の上端に接続する。具体的には、複数の接続用ＰＣ鋼材１７…の上端にカプラー１４´…をそれぞれ螺合させ、さらに、これらのカプラー１４´…にＰＣ鋼材５…の下端をそれぞれ螺合させる。
【００５０】
本実施の形態における中空プレキャスト柱の施工方法は、上記した点以外は、上述した参考例における中空プレキャスト柱の施工方法と同様であり、その説明を省略する。
【００５１】
上記した構成からなる中空プレキャスト柱によれば、上述した参考例と同様に、プレキャスト柱部材１，２の製作手間を軽減することができ、また、軽量化により施工上および構造上有利となり、さらに、梁２０との接合についてシステム化が実現され、柱梁架構を容易に構築することができる。
【００５２】
また、上記した構成からなる中空プレキャスト柱によれば、上下のプレキャスト柱部材１，２の中にそれぞれ挿通された上下のＰＣ鋼材４´…，５´…が、互いの軸の延長線Ｘ１，Ｘ２と異なる軸上にそれぞれ配設されており、下側のＰＣ鋼材４´…の上端が、柱梁接合部材３に定着され、上側のＰＣ鋼材５´…の下端が、柱梁接合部材３に定着された接続用ＰＣ鋼材１７の上端に接続されている構成からなっているため、上下のＰＣ鋼材４´…，５´…の軸合わせを行う必要がなく、また、各層のプレキャスト柱部材１，２ごとに、ＰＣ鋼材４´…，５´…の本数や位置を自由に設定することが可能である。したがって、各層のプレキャスト柱部材１，２にそれぞれ付与するプレストレスを各層個別的に設定することができ、設計の自由度を広げることができる。
【００５３】
以上、本発明に係る中空プレキャスト柱の参考例及び実施の形態について説明したが、本発明は上記した実施の形態に限定されるものではなく、その趣旨を逸脱しない範囲で適宜変更可能である。例えば、上記した参考例及び実施の形態では、遠心成形法により中空に成形されたＰＳコンクリート造の円筒状のプレキャスト柱部材１，２を用いているが、本発明は、如何なる構造のプレキャスト柱部材であってもよく、例えば、通常の鉄筋コンクリート造のプレキャスト部材であってもよく、或いは鋼管巻き鉄筋コンクリート造のプレキャスト部材であってもよい。また、本発明に係るプレキャスト柱部材は、中空の柱部材であれば円筒形状以外の部材であってもよく、例えば、図５に示すように、四角柱状の中空プレキャスト柱部材１´，２´であってもよい。なお、前記した四角柱状のプレキャスト柱部材１´，２´を用いる場合、プレキャスト柱部材１´，２´の中空部１ａ´，２ａ´に嵌め込まれる柱梁接合部材３´の凸部３ｃ´，３ｄ´は、台形四角錐状（四角錐の頂点側の先端部を切断した形状）に形成する。
【００５４】
また、上記した参考例及び実施の形態では、一層分の柱を形成するプレキャスト柱部材１，２を接合させる構成からなっているが、本発明は、複数層分の柱を形成するプレキャスト柱部材を接合する構成であってもよい。
【００５５】
また、上記した参考例及び実施の形態では、柱梁接合部材３にＰＣ鋼材４…，４´を挿通させるための図示せぬシース管を埋設させ、所謂ポストテンション方式によりプレキャスト柱部材１，２にプレストレスを付与しているが、本発明は、柱梁接合部材にシース管を埋設させず、所謂プレテンション方式によりプレストレスを付与してもよい。
【００５６】
また、上記した参考例及び実施の形態では、柱梁接合部材３が六面体の上下面３ａ，３ｂに凸部３ｃ，３ｄが形成された形状になっているが、本発明に係る柱梁接合部材は如何なる形状であってもよく、例えば、八面体からなる柱梁接合部材であってもよい。
その他、本発明は、その趣旨を逸脱しない範囲で、上記した実施の形態における構成を周知の構成に置き換えることは可能であり、また、上記した変形例を適宜組み合わせることも可能である。
【図面の簡単な説明】
【００５７】
【図１】本発明の参考例を説明するための中空プレキャスト柱の立断面図である。
【図２】本発明の参考例を説明するための中空プレキャスト柱の平断面図であり、図１に示すＡ−Ａ間の断面図である。
【図３】本発明の実施の形態を説明するための中空プレキャスト柱の立断面図である。
【図４】本発明の実施の形態を説明するための中空プレキャスト柱の平断面図であり、図３に示すＢ−Ｂ間の断面図である。
【図５】本発明の他の実施の形態を説明するための中空プレキャスト柱の平断面図である。
【符号の説明】
【００５８】
１  （下側の）プレキャスト柱部材
１ａ  中空部
１ｃ  上端面
２  （上側の）プレキャスト柱部材
２ａ  中空部
２ｂ  下端面
３  柱梁接合部材
３ａ  上面
３ｂ  下面
４，４´  （下側の）ＰＣ鋼材
５，５´  （上側の）ＰＣ鋼材
２０  梁
Ｘ１  （下側のＰＣ鋼材の）軸の延長線
Ｘ２  （上側のＰＣ鋼材の）軸の延長線
【図１】
0004423644.tif 000002
【図２】
0004423644.tif 000003
【図３】
0004423644.tif 000004
【図４】
0004423644.tif 000005
【図５】
0004423644.tif 000006